(57)【特許請求の範囲】
【請求項１】
２枚で一対となる第１表示板と第２表示板を有し、該第１表示板と該第２表示板の上辺部を回動可能に連結する回動連結機構によって連結された折り畳み式スタンドサイン表示具において、
前記第１表示板と前記第２表示板は中空で樹脂製の同形状の矩形又は台形の板状体からなり、
前記回動連結機構は、
前記第１表示板及び前記第２表示板の上辺部のそれぞれに、幅方向の片側の端部に形成された基端部と、該基端部から幅方向内方に向けて突出する凸軸と、該凸軸の先端から所定の距離を離した位置に軸受け部が形成された凸軸支持部とを備え、
前記第１表示板の凸軸の先端と前記第２表示板の凸軸の先端を対向配置すると共に、前記第１表示板の凸軸を前記第２表示板の凸軸支持部の軸受け部に、前記第２表示板の凸軸を前記第１表示板の凸軸支持部の軸受け部にそれぞれ挿入した状態で、前記凸軸同士を独立して回動可能で、かつ両者がずれないようにずれ止め手段で連結したことを特徴とする折り畳み式スタンドサイン表示具。
【請求項２】
前記ずれ止め手段は、前記第１表示板と前記第２表示板の各凸軸の先端部が嵌入できる外筒からなることを特徴とする請求項１記載の折り畳み式スタンドサイン表示具。
【請求項３】
前記回動連結機構は回動角度を規制する回動角度規制部を備えており、
該回動角度規制部は、前記第１表示板及び前記第２表示板の基端部の側面に径方向外方に突出するように形成された突出部と、前記第１表示板及び前記第２表示板における前記基端部と幅方向で反対側に前記突出部に当接可能に設けられた当接端部からなり、前記第１表示板と前記第２表示板を所定の角度に開いたとき、前記当接端部が前記突出部に当接するように構成されていることを特徴とする請求項１又は２に記載の折り畳み式スタンドサイン表示具。
【発明の詳細な説明】
【技術分野】
【０００１】
本発明は、例えばコンビニエンスストアにおいて販売促進のために用いられる広告媒体であるＰＯＰ（ポップ）、道路標識等の案内板などの情報を表示するサイン板を貼り付けて表示するための折り畳み式スタンドサイン表示具に関する。
【背景技術】
【０００２】
ＰＯＰや進行方向あるいは注意書き等を表示するために、路面に設置される折り畳み式のサイン表示具として、例えば特許文献１に開示された「標識具」が挙げられる。
特許文献１に開示の「標識具」は、「前後一組のプラスチック製の表示板１Ａ・１Ｂを有し、前後の表示板１Ａ・１Ｂは、表示板本体６の上端の左右に分割ヒンジ部７ａ・７ｂが形成されていて、同一の成形金型で中空状にブロー成形されており、両表示板１Ａ・１Ｂは、背中合わせにした状態で左右のヒンジ部７ａ・７ｂを介して開閉自在に枢結されており、両表示板１Ａ・１Ｂの両ヒンジ部７ａ・７ｂ間に凹み１０が形成されており、
この凹み１０に把手３が設けられていることを特徴とする」（請求項１参照）ものである。
【０００３】
そして、上記の標識具においては、前後の表示板１Ａ・１Ｂのヒンジ部７ａ・７ｂを介して開閉自在にする具体的な構造として、明細書の詳細な説明には以下のように記載されている。
「［００１４］
前後の各表示板１Ａ・１Ｂは、表示板本体６、軸筒９ａ・９ｂを有する左右の分割ヒンジ部７ａ・７ｂ、および分割把手１１を含めて、ポリエチレンにて同一の成形金型で中空状にブロー成形されている。左側のヒンジ部７ａには、これの左右幅方向の中央に１本の軸筒９ａが半円形に突出形成され、右側のヒンジ部７ｂには、これの左右の幅方向の両端に水平の軸筒９ｂ・９ｂが２本間隔を設けて半円形に突出形成されている。これらの軸筒９ａ・９ｂはブロー成形によって中空状に仕上がっているから、成形後に各軸筒９ａ・９ｂの左右端壁に通孔を穿つことになる。
［００１５］
組み付けに際しては、前後の表示板１Ａ・１Ｂを背中合わせにして、両表示板１Ａ・１Ｂの内面どうしを重ね合わせた折り畳み状態にする。これで両者１Ａ・１Ｂ間の中央上方に、各分割ヒンジ部７ａ・７ｂの軸筒９ａ・９ｂがそれぞれ左右に並んで位置する。つまり、一方の表示板１Ａの左側のヒンジ部７ａにおいては、これの軸筒９ａが他方の表示板１Ｂの左側に位置する元は右側のヒンジ部７ｂの軸筒９ｂ・９ｂ間に入り込み（図４参照）、一方の表示板１Ａの右側のヒンジ部７ｂにおいては、これの軸筒９ｂ・９ｂ間に他方の表示板１Ｂの右側に位置する元は左側のヒンジ部７ａの軸筒９ａが入り込む。この状態で、図４に示すごとく、左右の各分割ヒンジ部７ａ・７ｂにおいて、３本の軸筒９ａ・９ｂ間にボルトからなる枢軸２を横外側方から挿嵌し、前記凹み１０側において各枢軸２の突出端にナット８を螺合し、これで各枢軸２の抜け止めを図る。
［００１６］
前後の両表示板１Ａ・１Ｂは、上端左右のヒンジ部７ａ・７ｂを前記枢軸２で連結した状態において、枢軸２まわりに下端側が前後方向に開閉自在となる。両表示板１Ａ・１Ｂを逆Ｖ字状に開いた状態において、図３に示すごとく、両表示板１Ａ・１Ｂの内面の上端どうしが接当して、両表示板１Ａ・１Ｂが５０°程度より大きく開かないようにしてある。」
【先行技術文献】
【特許文献】
【０００４】
【特許文献１】特開２００４−２５７０１８号公報
【発明の概要】
【発明が解決しようとする課題】
【０００５】
特許文献１の標識具においては、表示板１Ａ・１Ｂのヒンジ部７ａ・７ｂを開閉自在に連結する構造として、各分割ヒンジ部７ａ・７ｂの軸筒９ａ・９ｂに枢軸２を横外側から挿嵌する構造であるため、以下に示すような問題点を有している。
【０００６】
表示板１Ａ・１Ｂはブロー成形された中空構造のものに通孔を設けて、該通孔に枢軸２を挿入することで回動軸を構成している。このため、枢軸２を支持する部位が中空を形成する薄肉の壁部分であり、不安定な軸受構造とならざるを得ない。そのため、特許文献１では、ナット８を抜け止めとして設けることで、枢軸２の抜け止めと支持を行っている。しかし、不安定な軸支持であることに変わりはなく、表示板１Ａ・１Ｂの回動を安定して行うことができないという課題がある。
また、表示板１Ａ・１Ｂはブロー成形された同一形状のものであるが、枢軸２は例えば金属製の別部材を用いていることから、部品点数が多く、かつ別部材を固定するためのさらなる別部品としてナット８も必要となり、組立も煩雑になっている。
【０００７】
また、両表示板１Ａ・１Ｂの回動角度を規制する方法として、上記の［００１６］に記載されるように、両表示板１Ａ・１Ｂの内面の上端どうしを接当させるようにしている。
しかしながら、枢軸２によって両表示板１Ａ・１Ｂが回動可能に連結される構造では、上述のように不安定な回動となり、両表示板１Ａ・１Ｂの上端どうしの位置がずれて、両表示板１Ａ・１Ｂの回動角度を正確に規制することはできない。そのため、特許文献１では、図７に示されるように、両表示板１Ａ・１Ｂの内面間に両者の開き限度を規制するためのチェーン３１が設けられている。
【０００８】
本発明はかかる課題を解決するためになされたものであり、２枚の表示板を安定的に回動可能に連結する回動連結機構を備えた折り畳み式スタンドサイン表示具を提供することを目的としている。
【課題を解決するための手段】
【０００９】
（１）本発明に係る折り畳み式スタンドサイン表示具は、２枚で一対となる第１表示板と第２表示板を有し、該第１表示板と該第２表示板の上辺部を回動可能に連結する回動連結機構によって連結された折り畳み式スタンドサイン表示具において、
前記第１表示板と前記第２表示板は中空で樹脂製の同形状の矩形又は台形の板状体からなり、
前記回動連結機構は、
前記第１表示板及び前記第２表示板の上辺部のそれぞれに、幅方向の片側の端部に形成された基端部と、該基端部から幅方向内方に向けて突出する凸軸と、該凸軸の先端から所定の距離を離した位置に軸受け部が形成された凸軸支持部とを備え、
前記第１表示板の凸軸の先端と前記第２表示板の凸軸の先端を対向配置すると共に、前記第１表示板の凸軸を前記第２表示板の凸軸支持部の軸受け部に、前記第２表示板の凸軸を前記第１表示板の凸軸支持部の軸受け部にそれぞれ挿入した状態で、前記凸軸同士を独立して回動可能で、かつ両者がずれないようにずれ止め手段で連結したことを特徴とするものである。
【００１０】
（２）上記（１）に記載のものにおいて、前記ずれ止め手段は、前記第１表示板と前記第２表示板の各凸軸の先端部が嵌入できる外筒からなることを特徴とするものである。
【００１１】
（３）上記（１）又は（２）に記載のものにおいて、前記回動連結機構は回動角度を規制する回動角度規制部を備えており、
該回動角度規制部は、前記第１表示板及び前記第２表示板の基端部の側面に径方向外方に突出するように形成された突出部と、前記第１表示板及び前記第２表示板における前記基端部と幅方向で反対側に前記突出部に当接可能に設けられた当接端部からなり、前記第１表示板と前記第２表示板を所定の角度に開いたとき、前記当接端部が前記突出部に当接するように構成されていることを特徴とするものである。
【発明の効果】
【００１２】
本発明に係る折り畳み式スタンドサイン表示具においては、２枚で一対となる第１表示板と第２表示板が同一の形状であり、ブロー成形によって一つの形状のみを成形すればよい。
また、第１表示板と第２表示板にそれぞれ凸軸と凸軸支持部を設け、これらによって回動機構を構成しているので、部品点数が少なく、簡易な構造であり、組立も極めて簡単である。
さらに、凸軸も中空の部材の一部であることから、軸径が太く、安定した回動が可能になっている。このため、例えば特許文献１の枢軸２のような径の細い別部品を用いた場合のように回動に際してガタがなく、スムーズな回動が可能であり、部品点数も少なくてよい。
また、凸軸同士を独立して回動可能に連結すると共に両者がずれるのを防止するずれ止め手段で連結していることにより、凸軸を持ち手として利用することができ、その際にも凸軸同士が上下にずれることがない。
【図面の簡単な説明】
【００１３】
【図１】本発明の実施の形態に係る折り畳み式スタンドサイン表示具の斜視図である。
【図２】図１に示した折り畳み式スタンドサイン表示具の分解斜視図である。
【図３】図１に示した折り畳み式スタンドサイン表示具の回動連結機構における回動角度規制部の説明図である（その１）。
【図４】図１に示した折り畳み式スタンドサイン表示具の回動連結機構における回動角度規制部の説明図である（その２）。
【図５】本発明の実施の形態に係る折り畳み式スタンドサイン表示具の組立方法の説明図である。
【発明を実施するための形態】
【００１４】
本実施の形態の折り畳み式スタンドサイン表示具１は、２枚で一対となる第１表示板３Ａ及び第２表示板３Ｂと、第１表示板３Ａと第２表示板３Ｂの上辺部を回動可能に連結する回動連結機構５を備えたものである。なお、各部品や各部を示す符号に関し、第１表示板３Ａに属するものには「Ａ」を、第２表示板３Ｂに属するものには「Ｂ」をそれぞれ数字に加えて付してある。
以下、各構成を詳細に説明する。
【００１５】
＜第１表示板、第２表示板＞
第１表示板３Ａと第２表示板３Ｂは、例えばブロー成形によって成形されたものであり、中空で樹脂製の矩形板状体からなる。
第１表示板３Ａと第２表示板３Ｂは、同形状であり、背面側を対向させた状態で上辺側が回動可能に連結されている。
【００１６】
表示板３Ａ，３Ｂの背面側には、互いに嵌合可能な凸部９Ａ，９Ｂと凹部７Ａ，７Ｂが横並びで設けられており（図２参照）、第１表示板３Ａの凸部９Ａが第２表示板３Ｂの凹部７Ｂに、また第２表示板３Ｂの凸部９Ｂが第１表示板３Ａの凹部７Ａ（図示なし）にそれぞれ嵌合できるようになっている。これによって、第１表示板３Ａと第２表示板３Ｂを閉じた状態で両者が不用意に開くのを防止できる。
また、各表示板３Ａ，３Ｂの表面側には、中空内に水等の液体を入れるための注水口１１Ａ，１１Ｂが設けられており、キャップ１３Ａ，１３Ｂで蓋ができるようになっている。
【００１７】
表示板３Ａ，３Ｂは、図２に示すように、表面側には、コ字状のコ字金具１５Ａ，１５Ｂが左右３箇所にネジ１７Ａ，１７Ｂによって止められている。そして、コ字金具１５Ａ，１５Ｂと各表示板の表面との間にパネル体１６Ａ，１６Ｂを挟むようにして（図１参照）、各表示板の表面側にパネル体１６Ａ，１６Ｂが取り付けられ、固定ネジ１９Ａ，１９Ｂによって固定されている。
【００１８】
＜回動連結機構＞
回動連結機構５を構成する部材は、第１表示板３Ａ及び第２表示板３Ｂの上辺部のそれぞれに、幅方向の片側の端部に形成された基端部２１Ａ，２１Ｂと、基端部２１Ａ，２１Ｂから幅方向内方に向けて突出する凸軸２３Ａ，２３Ｂと、凸軸２３Ａ，２３Ｂの先端から所定の距離を離した位置に凸軸２３Ａ，２３Ｂを挿入できる軸受け部２５Ａ，２５Ｂが形成された凸軸支持部２７Ａ，２７Ｂとである。そして、各凸軸２３Ａ，２３Ｂの先端は、外径が細くなった小径部２９Ａ，２９Ｂが形成され、また小径部２９Ａ，２９Ｂよりも基端側の大径部３１Ａ，３１Ｂの周面には抜け止め用の突起３３Ａ，３３Ｂが周方向に４箇所設けられている。
【００１９】
上記の構成部材からなる回動連結機構５は、第１表示板３Ａの凸軸２３Ａの先端と第２表示板３Ｂの凸軸２３Ｂの先端を対向配置すると共に、第１表示板３Ａの凸軸２３Ａを第２表示板３Ｂの凸軸支持部２７Ｂの軸受け部２５Ｂに、第２表示板３Ｂの凸軸２３Ｂを第１表示板３Ａの凸軸支持部２７Ａの軸受け部２５Ａにそれぞれ挿入して構成される。各凸軸２３Ａ，２３Ｂは突起３３Ａ，３３Ｂが凸軸支持部２７Ａ，２７Ｂの軸受け部２５Ａ，２５Ｂを貫通するまで挿入されることで、軸受け部２５Ａ，２５Ｂから抜け止めされた状態になっている。
なお、軸受け部２５Ａ，２５Ｂは必ずしも穴壁が連続していなくてもよく、穴壁の一部に切り欠きがあるようなものでもよい。
【００２０】
また、凸軸２３Ａ，２３Ｂの小径部２９Ａ，２９Ｂには、凸軸２３Ａ，２３Ｂ同士をそれぞれ独立して回動可能に連結すると共に両者が上下にずれるのを防止するずれ止め手段として機能する外筒３５が取り付けられている。
第１表示板３Ａ及び第２表示板３Ｂを開閉する際に、各凸軸２３Ａ，２３Ｂは反対方向に回動する。つまり、第１表示板３Ａの凸軸２３Ａが時計回りの方向に回動すると、第２表示板３Ｂの凸軸２３Ｂは反時計回りの方向に回動するため、各凸軸２３Ａ，２３Ｂは外筒３５内でそれぞれ独立して回動できるようになっている。このような外筒３５を設けて凸軸２３Ａ，２３Ｂを持ち手とすることで、凸軸２３Ａ，２３Ｂの先端の隙間に手を挟むことがない。
なお、本例では外筒３５と凸軸２３Ａ，２３Ｂとが相対的に回動可能になっているが、例えば、外筒３５を第１表示板３Ａの凸軸２３Ａに固定して、第２表示板３Ｂの凸軸２３Ｂが外筒３５内を回動できるようにしてもよい。
【００２１】
また、外筒３５の表面には、図１に示すように、滑り止めとなる凹凸を設けるのが好ましく、外筒３５の材質としては、ゴム弾性を有するエラストマーのような材質のものであることがより望ましい。
なお、外筒３５の外径は凸軸２３Ａ，２３Ｂの大径部３１Ａ，３１Ｂと略同径にするのが好ましい。
【００２２】
本実施の形態の回動連結機構５は、回動角度を規制する回動角度規制部を備えているので、以下、この点について詳細に説明する。
回動角度規制部は、第１表示板３Ａ及び第２表示板３Ｂの基端部２１Ａ，２１Ｂの側面（周面における高さ方向中程の位置）に径方向外方に突出するように形成された突出部３７Ａ，３７Ｂと、第１表示板３Ａ及び第２表示板３Ｂにおける基端部２１Ａ，２１Ｂと幅方向で反対側に突出部３７Ａ，３７Ｂに当接可能に設けられた当接端部３９Ａ，３９Ｂからなる。
第１表示板３Ａと第２表示板３Ｂを所定の角度開いたときには、図１、図３に示すように、当接端部３９Ａが突出部３７Ｂに、当接端部３９Ｂが突出部３７Ａにそれぞれ当接し、第１表示板３Ａと第２表示板３Ｂを閉じた状態では、図４に示すように、突出部３７Ａ，３７Ｂと当接端部３９Ｂ，３９Ａに隙間が形成される。
【００２３】
なお、本実施の形態では、図１に示すように、図中右側の回動角度規制部は、図中背面側に設けられ、図中左側の回動角度規制部は図中正面側に設けられている。このため、例えば図中右側の回動角度規制部において背面側の第２表示板３Ｂの当接端部３９Ｂが突出部３７Ａを乗り越えようとする動きがあった場合、第２表示板３Ｂが捩られるような動きになり、図中左側の回動角度規制部では、第２表示板３Ｂに形成された突出部３７Ｂが第１表示板３Ａの当接端部３９Ａに覆いかぶさるような動きとなる。この動きは、第１表示板３Ａの当接端部３９Ａが第２表示板３Ｂの突出部３７Ｂを乗り越え難くする動きであるため、左右の回動角度規制部の両方が同時に外れる事態が起こり難い。それ故に、特許文献１に設けられているような回動角度の限界を決めるようなチェーンが不要である。
【００２４】
次に、上記のように構成された本実施の形態の折り畳み式スタンドサイン表示具１の組立方法を説明する。
図５に示すように、第１表示板３Ａの凸軸２３Ａを第２表示板３Ｂの凸軸支持部２７Ｂの軸受け部２５Ｂに挿通すると共に、第２表示板３Ｂの凸軸２３Ｂを第１表示板３Ａの凸軸支持部２７Ａの軸受け部２５Ａに挿通する。この状態で、凸軸２３Ａ，２３Ｂ同士の間に外筒３５を配置して、第１表示板３Ａと第２表示板３Ｂを幅方向中央に互いに近づけるように移動し、外筒３５に各凸軸２３Ａ，２３Ｂの小径部２９Ａ，２９Ｂを挿入することで、組立が完了する。
このように、極めて簡単な手順で折り畳み式スタンドサイン表示具１を組み立てることができる。
【００２５】
上記のように構成された本実施の形態の折り畳み式スタンドサイン表示具１においては、第１表示板３Ａと第２表示板３Ｂが同一の形状であり、ブロー成形によって一つの形状のみを成形すればよい。
また、第１表示板３Ａと第２表示板３Ｂにそれぞれ凸軸２３Ａ，２３Ｂと凸軸支持部２７Ａ，２７Ｂを設け、これらによって回動連結機構５を構成しているので、部品点数が少なく、簡易な構造であり、さらに組立も極めて簡単である。
さらに、凸軸２３Ａ，２３Ｂも中空の部材の一部であることから、軸径が太く、安定した回動が可能になっている。このため、例えば特許文献１の枢軸２のような径の細い軸を用いた場合のように回動に際してガタがなく、スムーズな回動が可能である。それ故に、回動角度規制部における突出部３７Ａ，３７Ｂと当接端部３９Ｂ，３９Ａとのずれが少なく、所定の回動角度に確実に規制することができる。
【００２６】
なお、上記の実施の形態では、ずれ止め手段の例として外筒３５を例示したが、本発明に係るずれ止め手段は外筒３５に限定されるものではなく、両方の凸軸２３Ａ，２３Ｂと回動可能に連結され、かつ持ち手部分が形成されるものであれば、その形状は問わない。
【符号の説明】
【００２７】
１  折り畳み式スタンドサイン表示具
３Ａ  第１表示板
３Ｂ  第２表示板
５  回動連結機構
７Ａ，Ｂ  凹部
９Ａ，Ｂ  凸部
１１Ａ，Ｂ  注水口
１３Ａ，Ｂ  キャップ
１５Ａ，Ｂ  コ字金具
１６Ａ，Ｂ  パネル体
１７Ａ，Ｂ  ネジ
１９Ａ，Ｂ  固定ネジ
２１Ａ，Ｂ  基端部
２３Ａ，Ｂ  凸軸
２５Ａ，Ｂ  軸受け部
２７Ａ，Ｂ  凸軸支持部
２９Ａ，Ｂ  小径部
３１Ａ，Ｂ  大径部
３３Ａ，Ｂ  突起
３５  外筒
３７Ａ，Ｂ  突出部
３９Ａ，Ｂ  当接端部
【図１】
0006594218.tif 000002
【図２】
0006594218.tif 000003
【図３】
0006594218.tif 000004
【図４】
0006594218.tif 000005
【図５】
0006594218.tif 000006